(57)【要約】【課題】飲食店において顧客が所有する携帯通信端末により料理や飲み物などを簡単に注文することができ、注文情報の集計管理や飲食店の運営・店舗管理を容易にすること。【解決手段】飲食店の管理・運営に関する情報を処理する情報処理サイトと、前記情報処理サイトに顧客が注文情報を入力して送信するための顧客注文サイトと、を有し、前記顧客注文サイトにアクセスするためのアクセス情報を記録した二次元コードを読み込んだ顧客の所有する顧客自身の携帯通信端末を用いて前記顧客注文サイトの操作が可能に構成されている。【選択図】  図１
2020087231.tif 000002
【特許請求の範囲】
【請求項１】
飲食店の管理・運営に関する情報を処理する情報処理サイトと、
前記情報処理サイトに顧客が注文情報を入力して送信するための顧客注文サイトと、を有し、
前記顧客注文サイトにアクセスするためのアクセス情報を記録した二次元コードを読み込んだ顧客の所有する顧客自身の携帯通信端末を用いて前記顧客注文サイトの操作が可能に構成されている
飲食店の運営管理システム。
【請求項２】
注文情報を管理する飲食店制御装置と、
前記飲食店制御装置との間で情報を送受信する管理制御装置と、を有し、
前記二次元コードは、
前記飲食店制御装置及び前記管理制御装置の少なくとも一方から提供されるようになっている
請求項１に記載の飲食店の運営管理システム。
【請求項３】
前記飲食店制御装置は、
前記携帯通信端末から送信された注文情報を集計して管理する構成を備えている
請求項２に記載の飲食店の運営管理システム。
【請求項４】
前記飲食店制御装置及び前記管理制御装置の少なくとも一方は、
前記顧客注文サイトにアクセスした前記携帯通信端末から注文情報を受信した場合には該携帯通信端末に広告画面を表示させ、
表示された広告画面がタッチ操作された場合にはくじ引き抽選を実施するように構成されている
請求項２又は３に記載の飲食店の運営管理システム。
【請求項５】
前記飲食店制御装置及び前記管理制御装置の少なくとも一方は、
くじ引きに当選した場合には会計時の支払いに使用可能なポイント情報を前記携帯通信端末に送信し、ポイントを使用するか蓄積するか選択させるように構成されている
請求項４に記載の飲食店の運営管理システム。
【請求項６】
前記飲食店制御装置及び前記管理制御装置の少なくとも一方は、
前記顧客注文サイトの言語表示を日本語以外の外国語を選択可能に構成されている
請求項２〜５のいずれか一項に記載の飲食店の運営管理システム。
【請求項７】
前記飲食店制御装置及び前記管理制御装置の少なくとも一方は、
会計時、現在の税率を自動的に反映することができるように構成されている
請求項２〜６のいずれか一項に記載の飲食店の運営管理システム。
【請求項８】
飲食店において顧客自身の携帯通信端末を用いて顧客注文サイトの操作が可能な飲食店の運営管理システムのプログラムであって、
前記顧客注文サイトにアクセスするためのアクセス情報を記録した二次元コードを発行する処理と、
前記二次元コードを読み込んだ顧客の所有する顧客自身の携帯通信端末によって前記顧客注文サイトの操作を可能とする処理と、
前記顧客注文サイトの操作を集計及び管理する処理と、を実行する
飲食店の運営管理システムのプログラム。
【発明の詳細な説明】
【技術分野】
【０００１】
この発明は、飲食店において顧客が自分で注文をすることが可能な飲食店の運営管理システム及びそのプログラムに関する。
【背景技術】
【０００２】
レストランや料理店などの飲食店における注文を管理するシステムには、店員が操作する携帯可能な注文情報入力装置（ハンディターミナル）によって顧客が使用するテーブルの番号や顧客から受けた料理の注文などの注文情報を飲食店制御装置に送信し、飲食店制御装置により調理場への調理指示や支払の料金計算の処理などを行うものがある。
また、店員の操作する第１の注文情報入力装置の他に、顧客が操作して注文情報の入力を行う携帯可能な第２の注文情報入力装置を設けたシステムがある。このシステムは、顧客が操作する第２の注文情報入力装置には、利用する顧客毎にその顧客を識別する識別ＩＤを設定することで、顧客が待たされることなく、顧客が自分で注文情報の入力を行うことができるようにしたものである。（特許文献１）
【先行技術文献】
【特許文献】
【０００３】
【特許文献１】特開２００４−１６４０８１号公報
【発明の概要】
【発明が解決しようとする課題】
【０００４】
ところで、近頃は、通信機能に加えて各種の情報処理を行うことができる携帯通信端末、いわゆるスマートフォンやタブレットが普及している。飲食店に入店した顧客が、所有するスマートフォンを使用して注文情報を入力することができれば、注文を受ける店員の到着を待たずに料理を注文することができる。
しかし、飲食店の業態によっては料金の支払方法（先払い方式、後払い方式など）が異なるうえ、飲み放題コース・食べ放題コースなどのコースメニューもあり、料理や飲み物などのメニューの種類が極めて多く、氷や水などの無料注文もあることから、注文情報の集計管理や飲食店の運営・店舗管理が難しく、スマートフォンによる注文を実現することが困難であった。
また、顧客が途中でテーブルを移動したり、領収書の分割要求があった場合にも対応できなくてはならず、さらに、顧客が積極的に利用できるようにしなければならない。
【０００５】
そこで、この発明は、飲食店において顧客が所有する自分のスマートフォンなどの携帯通信端末により料理や飲み物などを簡単に注文することができ、注文情報の集計管理や飲食店の運営・店舗管理が容易な飲食店の運営管理システム及びそのプログラムを提供することを目的とする。
【課題を解決するための手段】
【０００６】
この発明は、飲食店の管理・運営に関する情報を処理する情報処理サイトと、前記情報処理サイトに顧客が注文情報を入力して送信するための顧客注文サイトと、を有し、前記顧客注文サイトにアクセスするためのアクセス情報を記録した二次元コードを読み込んだ顧客の所有する顧客自身の携帯通信端末を用いて前記顧客注文サイトの操作が可能に構成されている、ものである。
【発明の効果】
【０００７】
この発明は、二次元コードを読み込んだ顧客の操作する顧客自身の携帯通信端末を用いて顧客注文サイトの操作が可能になっているので、飲食店において顧客が所有する顧客自身の携帯通信端末により自分で料理や飲み物などを簡単に注文することができる。
【図面の簡単な説明】
【０００８】
【図１】図１は飲食店の運営管理システムの構成図である。（実施例）
【図２】図２は携帯通信端末のブロック図である。（実施例）
【図３】図３は飲食店制御装置のブロック図である。（実施例）
【図４】図４は管理制御装置のブロック図である。（実施例）
【図５】図５は運営管理サイトマップを示す図である。（実施例）
【図６】図６は店舗管理サイトマップを示す図である。（実施例）
【図７】図７はレジスターサイトマップを示す図である。（実施例）
【図８】図８は店員注文サイトマップを示す図である。（実施例）
【図９】図９は顧客注文サイトマップを示す図である。（実施例）
【図１０】図１０は注文情報処理のフローチャートである。（実施例）
【発明を実施するための形態】
【０００９】
以下、図面に基づいて、この発明の実施例を説明する。
【実施例】
【００１０】
図１〜図１０は、この発明の実施例を示すものである。図１において、飲食店Ａの運営管理システム１は、システムの管理会社Ｂにより運用され、飲食店Ａでの注文情報の集計管理や、飲食店Ａの運営・店舗管理を行う。また、飲食店Ａの運営管理システム１は、運営管理システムのプログラムにより実行される。
なお、図１においては、説明を簡略化するために、運営管理システム１が運営・店舗管理を行う飲食店Ａを１店舗として示されているが、二点鎖線で示すように、複数店舗の飲食店Ａの運営・店舗管理を行うことができるものである。よって、以下においては、１店舗の飲食店Ａの構成を例にとって運営・店舗管理を説明するが、図示しない他の飲食店Ａの構成および運営・店舗管理についても同様である。
【００１１】
飲食店Ａの運営管理システム１は、飲食店制御装置４と、管理制御装置５と、を有している。
なお、図１では、飲食店Ａの店員が使用する、例えばスマートフォンやタブレットなどの通信機能を有する携帯可能な情報処理機器である注文情報入力装置（ハンディターミナル）を第１の携帯通信端末２として図示している。
また、顧客が自分で所有する、例えば携帯電話、スマートフォンやタブレットなどの通信機能を有する携帯可能な情報処理機器を第２の携帯通信端末３として図示している。「第２の携帯通信端末３」が、特許請求の範囲に記載の「携帯通信端末」に相当する。
さらに、本実施の形態では、第２の携帯通信端末３での入力を第１の携帯通信端末２又は飲食店制御装置４に伝達する場合を例に説明するが、第１の携帯通信端末２又は飲食店制御装置４での入力を第２の携帯通信端末３に伝達することも可能である。こうしておくことで、飲食店Ａの店員から顧客に対して情報を伝達することもでき、コミュニケーションがより簡易に実施されることになる。
【００１２】
運営管理システム１が有している飲食店制御装置４及び管理制御装置５は、飲食店Ａの既存の設備（ハードウェア）にソフトウェアとして組み込むことが可能になっている。すなわち、飲食店制御装置４及び管理制御装置５は、運営管理システム１の専用のハードウェアに組み込まれたものであってもよく、ソフトウェアとして既存の設備に後から組み込んだものであってもよい。具体的には、飲食店Ａの運営管理システム１のプログラムが格納されているソフトウェア、それ自体を既存の設備（ハードウェア）に導入することで、運営管理システム１を構成することができる。また、飲食店Ａの運営管理システム１のプログラムをアプリケーション（アプリ）としてもよい。なお、アプリケーションもソフトウェアの一種である。
【００１３】
運営管理システム１は、飲食店の管理・運営に関する情報を処理する情報処理サイトと、情報処理サイトに顧客が注文情報を入力して送信するための顧客注文サイトと、を有し、顧客注文サイトにアクセスするためのアクセス情報を記録した二次元コードを読み込んだ顧客の所有する顧客自身の携帯通信端末を用いて顧客注文サイトの操作が可能に構成されているものであり、ハードウェアの一機能であってもよく、ソフトウェアとして導入可能であってもよい。
【００１４】
第１の携帯通信端末２は、無線ＬＡＮ装置６（アクセスポイント）から有線ＬＡＮ装置７（ルータ）を経由して飲食店制御装置４に接続され、また、インターネット（クラウド等も含む）などの通信回線８を介して管理制御装置５に接続される。第１の携帯通信端末２は、店員が自身で所有している携帯通信端末や、飲食店Ａで用意されている携帯通信端末（ハンディターミナル）などであり、飲食店Ａの店員の操作により管理制御装置５の情報管理サイトのアクセスすることで、顧客の注文情報（テーブル番号、人数、料理名など）の処理を行う。
【００１５】
なお、図１では、無線ＬＡＮ装置６及び有線ＬＡＮ装置７を、飲食店Ａの外部に設置した状態を例に示しているが、無線ＬＡＮ装置６及び有線ＬＡＮ装置７の設置位置を特に限定するものではない。例えば、無線ＬＡＮ装置６及び有線ＬＡＮ装置７を飲食店Ａの内部に設置してもよい。
【００１６】
第２の携帯通信端末３は、携帯電話通信装置９（携帯電話用アンテナ）を経由し、通信回線８を介して管理制御装置５に接続される。第２の携帯通信端末３は、顧客が自身で所有している携帯通信端末であり、顧客が操作することで各種の情報を入力して送信可能である。つまり、第２の携帯通信端末３は、顧客が日常的に携帯している携帯電話、スマートフォンやタブレットなどである。
【００１７】
なお、第２の携帯通信端末３は、飲食店Ａにおいて、無線ＬＡＮ装置６（アクセスポイント）から有線ＬＡＮ装置７（ルータ）を経由して、管理制御装置５に接続することもできる。また、図１では、携帯電話通信装置９を、飲食店Ａの外部に設置した状態を例に示しているが、携帯電話通信装置９の設置位置を特に限定するものではない。例えば、携帯電話通信装置９を飲食店Ａの内部に設置してもよい。
【００１８】
第２の携帯通信端末３は、図２に示すように、ボタンなどの入力部１０、タッチ式の液晶ディスプレイなどからなる表示部１１、プログラムや情報を記憶する記憶部１２、外部の通信機器と情報を送受信する通信部１３、ＣＣＤイメージセンサなどの撮像素子を使用したカメラ部１４、情報の入出力、表示、通信、撮像、プログラムの実行などを処理する制御部１５を備えている。
【００１９】
表示部１１は、表示機能だけでなく、表面をタッチすることで情報を入力することが可能であり、入力部としての機能も備えている。制御部１５は、プログラムの実行で実現する機能として、情報読み取り部１６を備える。情報読み取り部１６は、カメラ部１４で撮影した画像から情報を読み取り、読み取った情報にしたがい処理を行う。この発明においては、後述するように、二次元コードから読み取ったアクセス情報に基づいて顧客注文サイトにアクセスする処理を行う。
【００２０】
なお、店員の操作する第１の携帯通信端末２の基本的な機能も、顧客の操作する第２の携帯通信端末３と同様に構成されているので、説明を省略する。また、後述するように、飲食店制御装置４の機能を第１の携帯通信端末２の機能の１つとする場合、第１の携帯通信端末２の制御部に人口知能（ＡＩ）を搭載し、プログラムを人工知能を利用して実行するとよい。
【００２１】
飲食店制御装置４は、飲食店Ａに設置される。飲食店制御装置４は、パーソナルコンピュータ等により構成され、ＰＯＳレジスター機能を有している。飲食店制御装置４は、管理制御装置５の情報管理サイトにアクセスすることで、注文情報や店舗情報を集計して管理する。なお、ここでは、飲食店制御装置４と第１の携帯通信端末２を分けて説明しているが、飲食店制御装置４の機能を第１の携帯通信端末２の機能の１つとして持たせるようにしてもよい。
【００２２】
飲食店制御装置４は、図３に示すように、プログラムや情報を記憶する記憶部１７、外部の通信機器と情報を送受信する通信部１８、情報の入出力、表示、通信、プログラムの実行などを処理する制御部１９を備える。飲食店制御装置４には、キーボード・カードリーダ・バーコードリーダなどの入力部２０、情報を表示する液晶ディスプレイからなる表示部２１、顧客に渡すレシートや飲食店Ａの店舗情報などを印刷するプリンターからなる出力部２２が接続される。
【００２３】
記憶部１７は、注文情報記憶部２３、店舗管理情報記憶部２４を備える。注文情報記憶部２３は、顧客からの注文情報（テーブル番号、人数、料理名、料金など）を記憶する。店舗管理情報記憶部２４は、飲食店Ａの店舗管理情報（店員や調理人などのスタッフ情報、料理のメニュー情報など）を記憶する。
【００２４】
制御部１９は、プログラムの実行で実現する機能として、注文情報記録更新部２５、店舗管理情報記録更新部２６を備える。また、制御部１９に人口知能（ＡＩ）を搭載し、プログラムを人工知能を利用して実現するようにしてもよい。人口知能を利用することで、蓄積された店舗の運営・管理に関する情報から学習することが可能になる。注文情報記録更新部２５は、顧客からの注文情報を注文情報管理記憶部２３に記録し、更新する。店舗管理情報記録更新部２６は、店舗の運営・管理に関する情報を店舗管理情報記憶部２４に記録し、更新する。
【００２５】
管理制御装置５は、管理会社Ｂに設置又は管理会社Ｂが管理できる場所に設置される。管理制御装置５は、第１の携帯通信端末２、第２の携帯通信端末３、飲食店制御装置４との間で通信回線８を介して情報を送受信し、飲食店Ａの管理・運営に関する情報を処理する情報処理サイトを提供する。飲食店Ａからは、例えば第１の携帯通信端末２、飲食店制御装置４により情報処理サイトにアクセスし、飲食店Ａの注文情報や店舗管理情報を管理制御装置５に処理させることで、飲食店Ａの管理・運営に関する情報を管理制御装置５によって管理することができる。
【００２６】
ただし、通信回線８が遮断されているような場合には、第１の携帯通信端末２及び第２の携帯通信端末３とローカル（無線ＬＡＮ装置６及び有線ＬＡＮ装置７）接続されている飲食店制御装置４が管理制御装置５の代用とし機能する。つまり、飲食店制御装置４も管理制御装置５の一部である飲食店Ａの管理・運営に関する情報を処理する情報処理サイトを提供することが可能になっている。
【００２７】
管理制御装置５は、図４に示すように、プログラムや情報を記憶する記憶部２７、外部の通信機器と情報を送受信する通信部２８、情報の入出力、表示、通信、プログラムの実行などを処理する制御部２９を備える。管理制御装置５には、キーボード・マウスなどの入力部３０、情報を表示する液晶ディスプレイからなる表示部３１、処理情報などを印刷するプリンターからなる出力部３２が接続される。
【００２８】
記憶部２７は、運営管理情報記憶部３３、サイト管理情報記憶部３４を備える。運営管理情報記憶部３３は、飲食店Ａの店舗運営・管理に関する情報（店舗の運営情報や機能情報など）を記憶する。サイト管理情報記憶部３４は、飲食店Ａの第１の携帯通信端末２、第２の携帯通信端末３、飲食店制御装置４に提供する情報処理サイトの情報（運営管理サイト、店舗管理サイトなど）を記憶する。
【００２９】
制御部２９は、プログラムの実行で実現する機能として、運営管理情報記録更新部３５、サイト管理情報記録更新部３６を有する。また、制御部２９に人口知能（ＡＩ）を搭載し、プログラムを人工知能を利用して実現するようにしてもよい。人口知能を利用することで、蓄積された店舗の運営・管理に関する情報から学習することが可能になる。運営管理情報記録更新部３５は、飲食店Ａの店舗運営管理情報を運営管理情報記憶部３３に記録し、更新する。サイト管理情報記録更新部３６は、情報処理サイトの情報をサイト管理情報記憶部３４に記録し、更新する。
【００３０】
管理制御装置５は、情報処理サイトとして、図５〜図８に示すように、運営管理サイト３７、店舗管理サイト３８、レジスターサイト３９、店員注文サイト４０を提供する。また、管理制御装置５は、変更される税率、例えば軽減税率に対応して、料金の計算を変更可能に構成されている。具体的には、軽減税率が導入された場合、管理制御装置５は、飲食店制御装置４を介して軽減税率を自動的に反映したメニュー及び料金設定を顧客に提示することが可能に構成されている。また、会計時において、軽減税率に対応した表示と、軽減税率に対応していない表示と、を異なるように設定しておくとよい。例えば、軽減税率に対応したメニューに星印や丸印、軽印などの表示を付記して区別するとよい。なお、各端末の表示部に表示される会計画面及び顧客に渡すレシートの少なくとも１つに表示可能であればよい。
【００３１】
運営管理サイト３７は、飲食店制御装置４からアクセスしてログインし、図５に示すように、店舗マネージャー管理、店舗管理、プリンター管理、広告管理、設定などの各店舗の情報管理および機能管理を行うことができる。なお、ここでは、飲食店制御装置４からのアクセス例を説明するが、第１の携帯通信端末２からアクセスしてログイン可能に構成してもよい。また、飲食店制御装置４及び第１の携帯通信端末２の双方からアクセス可能に構成してもよい。
【００３２】
飲食店制御装置４からアクセスしてログインすると（１）、飲食店制御装置４には運営管理サイト３７のトップ（１−２）が表示される。
例えば、店舗マネージャー管理（１−３−１）では、登録した店舗の管理、店舗責任者の登録・編集、登録する事によって店舗の責任者や管理者の情報を確認、各店舗の管理を行うことができる。具体的には、登録されている店舗責任者又は店舗管理者（マネージャー）の一覧が表示され、登録されているマネージャー情報を編集することができる（１−３−１−１）。また、店舗責任者又は店舗管理者（マネージャー）を新規登録することができる（１−３−１−２）。
【００３３】
店舗管理（１−３−２）では、各店舗の登録・設定・編集を行うことができる。具体的には、登録されている店舗の一覧が表示され、登録されている店舗情報を編集することができる（１−３−２−１）。また、店舗を新規登録することができる（１−３−２−２）。
【００３４】
プリンター管理（１−３−３）では、使用可能なプリンターの管理（プリンターの種類）を行うことができる。具体的には、登録されているプリンターの一覧が表示され、登録されているプリンター情報を編集することができる（１−３−３−１）。また、プリンターを新規登録することができる（１−３−３−２）。
【００３５】
広告管理（１−３−４）では、広告提供者の登録・管理・設定・編集を行うことができる。具体的には、登録されている広告提供者の一覧が表示され、登録されている広告提供者情報を編集することができる（１−３−４−１）。例えば、広告提供者を新規登録したり（１−３−４−１−１）、登録されている広告の一覧を表示したり（１−３−４−１−２）、することができる。また、広告の一覧から、広告を新規登録することもできる（１−３−４−１−２−１）。さらに、広告の表示を設定したり（１−３−４−２）、広告の表示を集計したり（１−３−４−３）、することができる。広告提供者は、複数店舗の飲食店Ａであることが前提であるが、他のシステムに登録しているような飲食店や商店街などの地域コミュニティに所属している飲食店なども広告提供者として運営管理システム１に登録可能にしてもよい。
【００３６】
また、広告管理（１−３−４）においては、単なる広告を表示するだけでなく、来店した顧客の要求に対応した広告表示（以下、特別広告表示と称する）を提供できるようにしてもよい。この場合、運営管理システム１を管理するシステムの管理会社Ｂ又は飲食店Ａは、特別広告表示を希望する広告提供者を運営管理システム１に登録する。特別広告表示は、来店した顧客が、自身の情報を入力してもらうことを条件とするとよい。来店した顧客の自身の情報とは、顧客自身の属性に加え、例えば、その顧客が現在利用したいと考えている飲食店の種別、飲食店の規模、飲食店の場所、飲食店の使用目的等であり、追加・変更可能にしておくとよい。なお、運営管理システム１に加盟する条件を、飲食店Ａが管理会社Ｂに加入金を支払うことなどとするよい。
【００３７】
そして、自身の情報を入力してくれた顧客に対して、運営管理システム１は、支払いの際に金銭的な還元を実行可能にしておくとよい。例えば、自身の情報を入力してくれた顧客に対して、その飲食店Ａの会計の際に所定の割引率で値引きをしたり、所定の割合で設定したポイントを付与したり、して還元するとよい。また、特別広告表示を登録した広告提供者に対しては、例えば、来店した顧客が入力した自身の情報を提供可能にしておくことよい。こうすることで、特別広告表示を登録した広告提供者は、必要性が高いと判断される顧客に対して広告表示ができ、顧客の獲得が高確率で期待できることにもなる。なお、ポイントとは、運営管理システム１に加盟している飲食店で金券と同様に利用することができるものである。
【００３８】
設定（１−３−５）では、言語ファイルや広告画像のサイズ管理などを行うことができる。具体的には、登録されているシステム設定が表示され、登録されているシステム設定を編集することができる（１−３−５−１）。また、メール設定をすることができる（１−３−５−２）。
【００３９】
店舗管理サイト３８は、飲食店制御装置４や第１の携帯通信端末２からアクセスしてログインし、図６に示すように、スタッフ管理、プリンター管理、支払い方法／割引管理、メニュー管理、レポート、店舗設定、パスワード変更、仕入れ管理などの店舗管理を行うことができる。なお、以下の説明では、飲食店制御装置４から店舗管理サイト３８にアクセスする場合を例に挙げるが、第１の携帯通信端末２からも同様にアクセスすることができるものとする。
【００４０】
飲食店制御装置４からアクセスしてログインすると（２）、飲食店制御装置４には店舗管理サイト３８のトップ（２−２）が表示される。店舗管理サイト３８のトップは、登録されている店舗の一覧となっている。
例えば、スタッフ管理（２−１−１）では、スタッフ（店員）のＩＤとパスワードの管理、編集を行うことができる。これにより、スタッフ管理（２−１−１）では、店員注文サイト４０のみにログイン可能、レジスターサイト３９・店員注文サイト４０にログイン可能、店舗管理サイト３８・レジスターサイト３９・店員注文サイト４０にログイン可能、を設定することができる。具体的には、登録されているスタッフの一覧が表示され、登録されているスタッフ情報を編集することができる（２−４−１−１）。また、スタッフを新規登録することができる（２−１−１−２）。
【００４１】
プリンター管理（２−１−２）では、使用しているプリンターの台数・種類の管理を行うことができる。具体的には、登録されているプリンターの一覧が表示され、登録されているプリンター情報を編集することができる（２−１−２−１）。また、プリンターを新規登録することができる（２−１−２−２）。
【００４２】
支払い方法／割引管理（２−１−３）では、クレジットカード・クーポン等の割引の設定のカスタマイズを行うことができる。具体的には、登録されている支払い方法の一覧が表示され、登録されている支払い方法を編集することができる（２−１−３−１）。また、支払い方法を新規登録することができる（２−１−３−１−１）。同様に、登録されている割引方法の一覧が表示され、登録されている割引方法を編集することができる（２−１−３−２）。また、割引方法を新規登録することができる（２−１−３−２−１）。
【００４３】
メニュー管理（２−１−４）では、メニュー一覧の作成・編集（例えば、ピザメニューの場合、トッピングが必要なので生地の選択→ソースの選択→具材の選択をし、メニューを作成する。）を行うことができる。具体的には、登録されているメニューの一覧が表示され、登録されているメニュー情報を編集することができる（２−１−４−１）。ここからメニューを新規登録することもできる（２−１−４−１−１）。また、登録されているトッピングの一覧が表示され、登録されているトッピング情報を編集することができる（２−１−４−２）。ここからトッピングを新規登録することもできる（２−１−４−２−１）。
【００４４】
さらに、登録されているカテゴリーの一覧が表示され、登録されているカテゴリー情報を編集することができる（２−１−４−３）。ここからカテゴリーを新規登録することもできる（２−１−４−３−１）。またさらに、登録されている飲み放題／食べ放題の一覧が表示され、登録されている飲み放題／食べ放題情報を編集することができる（２−１−４−４）。ここから飲み放題／食べ放題を新規登録することもできる（２−１−４−４−１）。
【００４５】
加えて、サービスチャージ（２−１−４−５）、お通し（２−１−４−６）、おすすめ（２−１−４−７）の追加や修正、変更を登録することもできる。
【００４６】
レポート（２−１−５）では、売上等の管理・データ集計、ライブで売上やデータ確認を行うことができる。具体的には、レポートとして登録されている日報を編集することができる（２−１−５−１）。ここから、日報を検索することができる（２−１−５−１−１）。また、レポートとして登録されている注文履歴を編集することができる（２−１−５−２）。ここから、注文履歴を検索することができる（２−１−５−２−１）。さらに、レポートとして登録されているデータの集計ができる（２−１−５−３）。またさらに、レポートとして登録されている属性の集計ができる（２−１−５−４）。属性とは、顧客の年齢、性別、人種、人数、グループ構成等のことである。
【００４７】
店舗の設定（２−１−６）では、店舗の情報入力・編集、座席の設定・編集、言語設定・編集、レジスター会計・両替・ボイド、レジスター閉め・くじ引き設定を行うことができる。具体的には、店舗情報を編集したり（２−１−６−１）、プリンターを設定したり（２−１−６−２）、座席を設定したり（２−１−６−３）、税率を設定したり（２−１−６−４）、パスワードを設定したり（２−１−６−５）、くじ引きを設定したり（２−１−６−６）、することができる。また、店舗情報の編集から、言語を設定・編集することもできる（２−１−６−１−１）。さらに、座席の設定から、座先を新規に登録することもできる（２−１−６−３−１）。
【００４８】
税率設定（２−１−６−４）では、税率の設定をすることにより、税率の変更を設定できる。例えば、消費税の変更があった場合、即座に対応することができる。また、税率設定があれば、軽減税率にも迅速に対応することができる。また、パスワード設定（２−１−６−５）では、パスワードの設定をすることにより、誰が各処理をしたかを設定できる。くじ引き設定（２−１−６−６）は、顧客が第２の携帯通信端末３から注文を入れる際にくじ引きができる機能について、くじ引きの有効・無効の及び確率の設定を行うことができる。
なお、パスワードの変更をすることもできる（２−１−７）。また、パスワード忘れ（２−２）の場合、本人認証が可能であれば、パスワード変更（２−１−７）することができる。マネージャーやスタッフのなりすましを防止するために、パスワード忘れ（２−２）の場合、それ以上の操作を不能としてもよい。
また、ログインすることで、レジスター（飲食店制御装置４）及びハンディターミナル（第１の携帯通信装置２）にもログイン可能にしておくとよい。
【００４９】
仕入れ管理（２−１−８）では、店舗の仕入れを管理することができる。具体的には、仕入れ管理（２−１−８）をメニュー管理（２−１−４）と連動しておくことで、その日の食材の使用状況を把握することができ、さらには不足した食材の発注までも自動的にすることができる。食材の発注は、飲食店Ａと運営管理システム１を介して連携している食材を扱う業者（例えば、卸売業や八百屋、肉屋、魚屋、酒屋など）に連絡が届くことで可能にしておくとよい。なお、飲食店Ａは、連携している業者を追加、変更することができる。食材には、飲み物も含むものとする。
【００５０】
また、飲食店Ａにおいて新メニューや季節メニューなどを追加した場合にも、仕入れ管理（２−１−８）をメニュー管理（２−１−４）と連動しておくことで、追加したメニューの仕入れにも即座に対応することができる。ただし、飲食店Ａによっては、食材の発注を手入力で行うようにしてもよい。例えば、仕入れ管理（２−１−８）では、飲食店Ａで不足している食材を飲食店Ａのスタッフに伝達可能に表示したり、音声通知したり、してもよい。また、連携している業者に、要求している食材がない場合には、アラームを発報したり、表示をしたりして、スタッフに警報するようにしてもよい。
【００５１】
レジスターサイト３９は、飲食店制御装置４からアクセスしてログインし、図７に示すように、スタッフ管理、レジスターオープン、テーブル伝票詳細、オーダー検索、ハンディターミナル（第１の携帯通信端末２）、ボイド（Ｖｏｉｄ）、注文履歴、くじ引き設定、メニュー管理、両替、利用ハンディターミナル追加、レジスター閉めなどの注文管理、会計管理、仕入れ管理を行うことができる。
【００５２】
飲食店制御装置４からアクセスしてログインすると（３）、飲食店制御装置４からスタッフ管理（３−０−１）ができるようになる。スタッフ管理（３−０−１）では、スタッフ（店員）のＩＤとパスワードの管理、編集を行うことができる。具体的には、登録されているスタッフの一覧が表示され、登録されているスタッフ情報を編集することができる（３−０−１−１）。また、スタッフを新規登録することができる（３−０−１−２）。
飲食店制御装置４からアクセスしてログインすると（３）、飲食店制御装置４にはレジスターサイト３９のトップであるテーブル状況（３−１）が表示される。また、レジスターとして使用可能になる（３−１−１）。
【００５３】
ここで、テーブル状況（３−１）が表示された後、テーブル状況の設定をすることができる（３−２）。具体的には、グループ単位で利用しているテーブルを別々のテーブルに分けたり、別々のグループで利用しているテーブルを１つのテーブルにまとめたり、することができる。こうするとことで、会計時の支払いの手間を軽減することが可能になる。また、一度分けたテーブルを、再度まとめたり、さらに分けたりすることもできる。さらに、一度まとめたテーブルを、再度分けたり、まとめ方を変更したりすることもできる。
【００５４】
また、図７に図示していないが、テーブル状況設定（３−２）は、支払（３−１−２−１）の際にも実行可能にしておくとよい。こうしておくことで、グループに応じた支払単位を最終的な状態で設定することができ、毎回毎回、テーブル状況を設定する必要がなくなる。
【００５５】
例えば、テーブル伝票詳細（３−１−２）では、各テーブルの使用状況、売上詳細の確認を行うことができる。このテーブル伝票詳細（３−１−２）の画面からは、支払（３−１−２−１）・ボイド（３−１−２−２）などを行うことができる。また、支払の際に、全ての割引に対応している。なお、支払（３−１−２−１）の際に、テーブル状況設定（３−２）を実行可能にしておくとよいことは上述した通りである。
【００５６】
オーダー検索（３−１−３）では、伝票を検索することができる。このオーダー検索（３−１−３）の画面からは、支払・領収書発行・ボイド等を行うことができる。具体的には、伝票の一覧が表示され（３−１−３−１）、テーブル伝票の詳細を確認することができる（３−１−２）。また、テーブル伝票詳細から、支払（３−１−２−１）が可能になり、またボイド（３−１−２−２）も可能になる。なお、支払（３−１−２−１）の際に、テーブル状況設定（３−２）を実行可能にしておくとよいことは上述した通りである。
【００５７】
ハンディターミナル（３−１−４）は、スタッフ（店員）が操作する第１の携帯通信端末２によるハンディターミナル機能であり、注文情報の入力を行うことができる。ボイド（３−１−５）では、ボイド（取り消し）を行うことができる。利用ハンディターミナル追加（３−１−１０）では、第１の携帯通信端末２を利用する店員の名前と利用時間とを設定することができる。第１の携帯通信端末２は、設定した利用時間内であっても、レジスター閉め（３−１−１１）の後は利用できないように利用制限がある。レジスター閉め（３−１−１１）では、レジスターを閉めて、日報のジャーナルをプリントアウトでき、詳細データの確認を行うことができる。くじ引き設定（３−１−７）では、くじ引きの設定を行うことができる。両替（３−１−９）では、両替の設定を行うことができる。
【００５８】
また、注文履歴を確認することができる（３−１−６）。ここから、オーダーの一覧が確認できる（３−１−６−１）。オーダーの一覧から、テーブル伝票の詳細を確認することができる（３−１−２）。テーブル伝票の詳細から、ボイドをすることもできる（３−１−２−２）。
【００５９】
メニュー管理（３−１−８）では、メニュー一覧の作成・編集（例えば、ピザメニューの場合、トッピングが必要なので生地の選択→ソースの選択→具材の選択をし、メニューを作成する。）を行うことができる。具体的には、登録されているメニューの一覧が表示され、登録されているメニュー情報を編集することができる（３−１−８−１）。ここからメニューを新規登録することもできる（３−１−８−１−１）。また、登録されているトッピングの一覧が表示され、登録されているトッピング情報を編集することができる（３−１−８−２）。ここからトッピングを新規登録することもできる（３−１−８−２−１）。
【００６０】
さらに、登録されているカテゴリーの一覧が表示され、登録されているカテゴリー情報を編集することができる（３−１−８−３）。ここからカテゴリーを新規登録することもできる（３−１−８−３−１）。またさらに、登録されている飲み放題／食べ放題の一覧が表示され、登録されている飲み放題／食べ放題情報を編集することができる（３−１−８−４）。ここから飲み放題／食べ放題を新規登録することもできる（３−１−８−４−１）。
【００６１】
加えて、サービスチャージ（３−１−８−５）、お通し（３−１−８−６）、おすすめ（３−１−８−７）の追加や修正、変更を登録することもできる。
また、入店した顧客どうしでの交流（コミュニケーション）を図ることできる（３−１−１２）。つまり、飲食店制御装置４を介して複数台の第２の携帯通信端末３を、双方向通信可能にしておくことで、意見交換可能なコミュニティーツールとすることができる。こうすることで、他のテーブルについた顧客との交流を勧めることができる。なお、第１の携帯通信端末２を介しての交流については、図８で説明する。また、顧客どうしだけでなく、飲食店Ａの店員とも交流可能にするとよい。さらに、仕入れ管理（３−１−１２）については、仕入れ管理（２−１−８）と同様であり、メニュー管理（３−１−８）と連動させておくとよい。
【００６２】
店員注文サイト４０は、飲食店制御装置４や第１の携帯通信端末２からアクセスしてログインし、図８に示すように、注文開始、オーダー追加、飲み放題・食べ放題、特別注文、人数＆座席、顧客伝票印刷、領収書印刷、小計、二次元コードなどの注文管理、会計管理を行うことができる。なお、以下の説明では、第１の携帯通信端末２から店員注文サイト４０にアクセスする場合を例に挙げるが、飲食店制御装置４からも同様にアクセスすることができるものとする。
【００６３】
第１の携帯通信端末２からアクセスしてログインすると（４）、第１の携帯通信端末２には店員注文サイト４０のトップであるテーブル状況（４−１）が表示される。テーブル状況（４−１）が表示された後、テーブル状況の設定をすることができる（４−２）。このとき、宴会情報についても表示される（４−３）。テーブル状況には、各テーブルの注文が一覧として表示される（４−１−１）。なお。テーブル状況の設定は、飲食店制御装置４のテーブル状況の設定（３−２）で説明した通りである。つまり、第１の携帯通信端末２を介してテーブル状況の設定をすることも可能になっている。
【００６４】
例えば、注文開始（４−１−１−１）では、入店した顧客の顧客情報入力を行うことができる。この注文開始（４−１−１−１）の画面では、性別、年齢、人種、グループ（友人、会社関係、家族）、趣味、今はまっているもの、好きな料理・嫌いな料理、好きなドリンク、好きな男性・好きな女性のタイプ、などの顧客の情報入力を行うことができる。特別注文（４−１−１−４）では、通常のメニューに表示されない料理の注文を行うことができる。この特別注文（４−１−１−４）の画面では、料理の商品名の詳細、値段、個数を入力して、注文を行うことができる。
【００６５】
例えば、制御部（制御部１５、第１の携帯通信端末２の制御部、及び、制御部２９の少なくとも１つに人口知能（ＡＩ）を搭載しておけば、集積データから、来店した顧客の好みに応じたメニュー表示が実現できるようになる。また、特別注文についても、来店した顧客それぞれに対応したメニューが表示可能になる。
【００６６】
人数＆座席（４−１−１−５）では、顧客の人数が増えた際の人数変更を行うことができる。顧客がテーブルを移動した場合は、この人数＆座席（４−１−１−５）の画面から変更を行うことができる。小計印刷（４−１−１−６）では、現在までの注文の詳細な伝票の出力を行うことができる（小計を出すことができる。）。領収書印刷（４−１−１−７）では、領収書発行の予約を行うことができる。割引設定（４−１−１−８）では、レジスター（飲食店制御装置４）から離れた場所で顧客から会計を依頼された際に、割引等を含めた全ての計算を行うことができる。
なお、オーダー追加（４−１−４−２）、飲み放題／食べ放題（４−１−４−３）の修正、変更を登録することもできる。
【００６７】
二次元コード（４−１−１−９）では、顧客が所有する第２の携帯通信端末３を顧客注文サイト４１へアクセスさせるためのアクセス情報が記録された二次元コード４２を、飲食店制御装置４又は第１の携帯通信端末２の表示部に出力して表示させ、あるいは、飲食店Ａの出力部２２に出力して印刷した印刷物に表示させる。飲食店制御装置４又は第１の携帯通信端末２に表示された二次元コード４２、あるいは、印刷物に表示された二次元コード４２は、顧客の第２の携帯通信端末３にカメラ部１４で読み込ませることで、情報読み取り部１６によりアクセス情報に基づいて第２の携帯通信端末３を顧客注文サイト４１へアクセスさせることができる。顧客注文サイト４１へアクセスした第２の携帯通信端末３からは、顧客が直接注文を行うことができる。顧客は、第２の携帯通信端末３から注文をする度に、くじ引き抽選に参加することができる。くじ引きに当選して獲得したポイントは、当日から支払の際に使用することができる。
なお、各サイト３７〜４０にログインする際には、スタッフＩＤ、パスワードが求められる。
【００６８】
会計（４−１−１−１０）では、顧客から会計を依頼された際に、割引等を含めた全ての会計の管理を飲食店Ａの店員が行うことができるようにしたものである。なお、ここでの会計は、第１の携帯通信端末２及び飲食店制御装置４の少なくとも１つからの入力で判断するとよい。また、会計（４−１−１−１０）の際においても、テーブル状況設定（４−２）を実行可能にしておくとよい。
【００６９】
また、図７と同様に、入店した顧客どうしでの交流（コミュニケーション）を図ることできる（４−１−１−１１）。つまり、第１の携帯通信端末２を介して複数台の第２の携帯通信端末２を、双方向通信可能にしておくことで、意見交換可能なコミュニティーツールとすることができる。こうすることで、他のテーブルについた顧客との交流を勧めることができる。また、顧客どうしだけでなく、飲食店Ａの店員とも交流可能にするとよい。
【００７０】
管理制御装置５は、情報処理サイト中に、顧客が注文情報を入力して送信するための顧客注文サイト４１を備え、この顧客注文サイト４１に第２の携帯通信端末３からアクセスするためのアクセス情報を記録した二次元コード４２を備える。なお、ここでは、管理制御装置５が二次元コード４２を発行する場合を例に説明するが、二次元コード４２を飲食店制御装置４に発行させるようにしてもよい。また、飲食店制御装置４の機能を備えた第１の携帯通信端末２に二次元コード４２を発行させてもよい。つまり、いずれの場合も、最終的に、管理制御装置５に伝達されていればよく、二次元コード４２の発行元を特に限定するものではない。
【００７１】
顧客注文サイト４１では、第２の携帯通信端末３からアクセスして、図９に示すように、飲食店Ａでのオーダー追加、くじ引き、領収書発行予約、店員呼出、外国語表示選択などの注文管理を行うことできる。
【００７２】
顧客注文サイト４１では、テーブルトップ（注文一覧）が表示される（５）。ここから、例えば、オーダー追加（５−１）、領収書発行予約（５−２）、店員呼出（５−３）、外国語表示選択（５−４）、会計（５−５）、交流（５−６）を行うことができる。オーダー追加からから、広告についての設定（５−１−１）、くじ引きについての設定も可能になっている（５−１−１−１）。ただし、広告やくじ引きを導入しない飲食店Ａについては、設定する必要はない。
【００７３】
また、会計時（５−５）の前に飲食店Ａの評価設定を導入してもよい。さらに、評価設定の後にくじ引き設定を導入してもよい。つまり、飲食店Ａの評価の入力及びくじ引きの後に会計に移行するようにしてもよい。ただし、評価設定及びくじ引き設定を導入しない飲食店Ａについては、設定する必要はない。なお、飲食店Ａの評価とは、飲食店Ａを利用した顧客にしてもらう評価のことである。評価の仕方については、数字やアルファベットを用いた段階評価やコメント評価などであればよく、特定の評価の仕方に限定するものではない。
【００７４】
また、図７及び図８と同様に、入店した顧客どうしでの交流（コミュニケーション）を図ることできる（５−６）。つまり、顧客注文サイト４１にアクセスした複数台の第２の携帯通信端末２同士で、双方向通信可能にしておくことで、意見交換可能なコミュニティーツールとすることができる。こうすることで、他のテーブルについた顧客との交流を勧めることができる。また、顧客どうしだけでなく、飲食店Ａの店員とも交流可能にするとよい。
【００７５】
二次元コード４２は、水平方向と垂直方向に情報を記録したマトリックス方式やスタック式のものがあり、飲食店制御装置４又は第１の携帯通信端末２に提供される。飲食店制御装置４又は第１の携帯通信端末２に提供された二次元コード４２は、飲食店制御装置４又は第１の携帯通信端末２の表示部に出力して表示させることができ、あるいは、飲食店制御装置４又は第１の携帯通信端末２から飲食店Ａの出力部（プリンター）２２に出力して印刷した印刷物に表示させることができる。
【００７６】
顧客が所有する第２の携帯通信端末３は、カメラ部１４により二次元コード４２を撮影可能であり、撮影した二次元コード４２の画像から情報読み取り部１６によりアクセス情報を読み取り、読み取ったアクセス情報に基づいて飲食店Ａの顧客注文サイト４１にアクセスして表示部１１に表示可能である。第２の携帯通信端末３は、表示された顧客注文サイト４１の画像をタッチ操作することで、飲食店Ａにおいて顧客が自分で注文情報を入力して送信可能である。
【００７７】
飲食店Ａに入店した顧客は、店員が操作する飲食店制御装置４又は第１の携帯通信端末２の表示部に表示された二次元コード４２、あるいは、印刷物に表示された二次元コード４２を自身の第２の携帯通信端末３で読み込むことで、顧客注文サイト４１にアクセスして注文情報を送信することができる。
なお、以下の説明では、管理制御装置５をシステムの主体として説明するが、飲食店制御装置４をシステムの主体としてもよい。この場合、文章中、飲食店制御装置４が管理制御装置５に置き換わるものとする。このことは、図１０についても同様である。
【００７８】
管理制御装置５は、顧客の操作する第２の携帯通信端末３が二次元コード４２から読取ったアクセス情報により飲食店Ａの顧客注文サイト４１にアクセスし、注文情報（図９：オーダー追加）を送信してきた場合、受信した注文情報を飲食店Ａの飲食店制御装置４に送信する。飲食店制御装置４は、店員の操作する第１の携帯通信端末２から送信された注文情報に併せて、顧客の操作する第２の携帯通信端末３から送信された注文情報を集計して管理する。
【００７９】
また、管理制御装置５は、飲食店Ａの顧客注文サイト４１にアクセスした第２の携帯通信端末３から注文情報（オーダー追加）を受信した場合に、広告画面を送信して第２の携帯通信端末３の表示部１１に表示させる。管理制御装置５は、第２の携帯通信端末３の表示部１１に表示された広告画面が顧客によってタッチされた場合に、くじ引き抽選を実施する。管理制御装置５は、顧客がくじ引きに当選した場合に、飲食店Ａでの会計時の支払いに使用可能なポイント情報を第２の携帯通信端末３に送信する。また、管理制御装置５は、顧客が自身の情報と入力した場合には、特別広告表示を実行する。
【００８０】
ポイント情報を受信した第２の携帯通信端末３は、記憶部１２に保存し、会計時の支払いにおいてポイントを使用することができる。また、ポイントは、貯めておき、後日に使用することができる。ポイント情報は、店舗管理サイト３８の支払い方法／割引管理において、顧客の所有する第２の携帯通信端末３毎に集計して管理される。
さらに、管理制御装置５は、顧客注文サイト４１の言語表示を日本語以外の外国語（例えば、英語、中国語、スペイン語など）に設定することができる。言語の設定は、運営管理サイト３７・店舗管理サイト３８から行うことができる。
【００８１】
次に、飲食店Ａの運営管理システム１の作用を説明する。
運営管理システム１は、図１０に示すように、制御のプログラムがスタートすると、飲食店Ａの店員の操作する飲食店制御装置４又は第１の携帯通信端末２がアクセスした店員注文サイト４０によって顧客が使用する各テーブル（４−１−１）の番号を設定し（Ｓ０１）、設定したテーブル番号の顧客の注文を受ける注文開始（４−１−１−１）を行い（Ｓ０２）、店員の操作する飲食店制御装置４又は第１の携帯通信端末２から出力した二次元コード４２を顧客の所有する第２の携帯通信端末３に読み込ませる（Ｓ０３）。
【００８２】
注文開始（Ｓ０２）では、飲食店制御装置４又は第１の携帯通信端末２を介して顧客の性別・年齢などの各種の顧客情報を入力することができる。二次元コード４２の読み込み（Ｓ０３）では、飲食店制御装置４又は第１の携帯通信端末２の表示部に表示された二次元コード４２、あるいは、印刷物に表示された二次元コード４２を、顧客の第２の携帯通信端末３のカメラ部１４で撮影することで読み込ませる。
【００８３】
二次元コード４２を第２の携帯通信端末３に読み込ませた（Ｓ０３）後に、顧客の第２の携帯通信端末３が顧客注文サイト４１にアクセスしてきたかを判断する（Ｓ０４）。なお、二次元コード４２の読み込みを顧客注文サイト４１のアクセスのトリガーとしてもよい。
【００８４】
顧客は、自分の所有する第２の携帯通信端末３で二次元コード４２を読み込むことで、自分の所有する第２の携帯通信端末３を用いて顧客注文サイト４１にアクセスでき、オーダーをすることができる。つまり、オーダーのたびに店員を呼び出す必要がなく、注文間違いも発生しない。また、店員側においても、オーダーのたびに客席まで足を運ぶ必要がなく、注文間違いもないので、ストレスが大幅に軽減されることになる。さらに、人件費の削減や計算間違いの減少にもなり、店側にとってもメリットが大きいものとなる。
【００８５】
この判断（Ｓ０４）がＹＥＳの場合は、後述する第２の携帯通信端末３から注文情報が送信されたかの判断（Ｓ０７）に移行する。この判断（Ｓ０４）がＮＯの場合は、飲食店制御装置４又は第１の携帯通信端末２から顧客の注文情報（テーブル番号、料理名など）が入力されて送信されたかを判断する（Ｓ０５）。
【００８６】
この判断（Ｓ０５）がＮＯの場合は、この判断（Ｓ０５）を繰り返す。この判断（Ｓ０５）がＹＥＳの場合は、飲食店制御装置４又は第１の携帯通信端末２から送信された注文情報を飲食店制御装置４の注文情報記憶部２３に記憶し、注文情報の内容に従い調理場への調理指示・料金計算の処理を行う（Ｓ０６）。
調理場への調理指示は、調理場の図示しない出力部で印刷した印刷物や、調理場の図示しない表示部による表示で行われる。料金計算は、レジスターサイト３９のテーブル伝票詳細（３−１−２）で行われる。
【００８７】
一方、運営管理システム１は、顧客の第２の携帯通信端末３が顧客注文サイト４１にアクセスしてきて、判断（Ｓ０４）がＹＥＳの場合は、顧客注文サイト４１のオーダー追加（５−１）で第２の携帯通信端末３から顧客の注文情報（テーブル番号、料理名など）が入力されて送信されたかを判断する（Ｓ０７）。
【００８８】
なお、顧客注文サイト４１は、日本語以外の外国語表示に設定することができる。つまり、管理制御装置５においては、日本語以外の外国語を選択可能に構成されている。また、顧客注文サイト４１のオーダー追加では、顧客が注文情報を送信する場合、注文を行う顧客の識別情報（例えば、テーブル番号など）を併せて送信する。
判断（Ｓ０７）がＮＯの場合は、この判断（Ｓ０７）を繰り返す。この判断（Ｓ０７）がＹＥＳの場合は、第２の携帯通信端末３から送信された注文情報を飲食店制御装置４の注文情報記憶部２３に記憶し、注文情報の内容に従い調理場への調理指示・料金計算の処理を行う（Ｓ０６）。
【００８９】
これより、調理指示・料金計算の処理（Ｓ０６）において、飲食店制御装置４は、店員の操作する第１の携帯通信端末２から送信された注文情報に併せて、顧客の操作する第２の携帯通信端末３から送信された注文情報を集計して管理する。
飲食店制御装置４又は第１の携帯通信端末２から送信された注文情報、第２の携帯通信端末３から送信された注文情報による調理指示・計算処理（Ｓ０６）に続いて、第１の携帯通信端末２から追加の注文情報が入力されて送信されたかを判断する（Ｓ０８）。
【００９０】
この判断（Ｓ０８）がＹＥＳの場合は、処理（Ｓ０６）に戻り、注文情報の内容に従い調理場への調理指示・料金の計算処理を行う。この判断（Ｓ０８）がＮＯの場合は、第２の携帯通信端末３から追加の注文情報が入力されて送信されたかを判断する（Ｓ０９）。
この判断（Ｓ０９）がＹＥＳの場合は、処理（Ｓ０６）に戻り、注文情報の内容に従い調理場への調理指示・料金の計算処理を行うとともに、後述する広告画面の表示（Ｓ１１）に移行する。この判断（Ｓ０９）がＮＯの場合は、顧客からの要求に応じて飲食店制御装置４のレジスターサイト３９の支払（３−１−２−１）で会計精算の処理を行い（Ｓ１０）、プログラムをエンドにする。会計精算（Ｓ１０）は、顧客注文サイト４１の会計（５−５）が第２の携帯通信端末３で入力されたかどうかで判断するとよい。または、店員注文サイト４０の会計（４−１−１−１０）が第１の携帯通信端末２及び飲食店制御装置４の少なくとも１つで入力されたかどうかで判断するとよい。
【００９１】
また、運営管理システム１は、第２の携帯通信端末３から注文情報が送信されたかの判断（Ｓ０７）がＹＥＳの場合は、前述のように調理指示・料金計算の処理（Ｓ０６）を行うとともに、管理制御装置５から第２の携帯通信端末３に広告画面を送信して表示部１１に表示させる（Ｓ１１）。また、管理制御装置５は、顧客が自身の情報と入力した場合には、特別広告表示を実行する。
管理制御装置５は、第２の携帯通信端末３に表示された広告画面が顧客によってタッチされたかを判断する（Ｓ１２）。
判断（Ｓ１２）がＮＯの場合は、第１の携帯通信端末２から追加の注文情報が送信されたかの判断（Ｓ０８）に移行する。判断（Ｓ１２）がＹＥＳの場合は、くじ引き抽選を実施し（Ｓ１３）、くじ引きに当選したかを判断する（Ｓ１４）。
判断（Ｓ１４）がＮＯの場合は、第１の携帯通信端末２から追加の注文情報が送信されたかの判断（Ｓ０８）に移行する。判断（Ｓ１４）がＹＥＳの場合は、精算時の支払いに使用可能なポイント情報を第２の携帯通信端末３に送信（Ｓ１５）して記憶部１２に記憶させ、第１の携帯通信端末２から追加の注文情報が送信されたかの判断（Ｓ０８）に移行する。
【００９２】
第２の携帯通信端末３に記憶されたポイント情報は、会計精算の処理（Ｓ１０）においてポイントを支払いに使用され、プログラムをエンドにする。ポイントは、蓄積しておくこともできる。
会計精算の処理（Ｓ１０）においては、第１の携帯通信端末２から送信された注文情報に併せて、第２の携帯通信端末３から送信された注文情報を集計して処理される。また、会計精算の処理（Ｓ１０）においては、顧客のポイントだけでなく、クレジットカード、クーポン券などの割引をすることができる。
また、第２の携帯通信端末３から追加の注文情報が送信されたかの判断（Ｓ０９）がＹＥＳの場合は、広告画面の表示（Ｓ１１）に移行するので、顧客が第２の携帯通信端末３から注文情報を送信する度にくじ引き抽選に参加できる。
【００９３】
また、会計精算の処理（Ｓ１０）においては、飲食店Ａの会計と、第２の携帯通信端末３を有している顧客が利用している各種決済サービスと、を連動させることができる。こうしておけば、現金又はカードでの支払いを顧客が自由に選択することができることになる。また、カードであれば、プリペイドカード又はクレジットカードも選択できるようにしておくとよい。また、ネットワークと連動させるようにしてもよい。こうすることで、ＳＮＳなどに対応した支払いも選択可能になる。また、会計ソフトと連動させるようにしてもよい。さらに、電子マネー又は仮想通貨を利用した支払いを選択可能にしてもよい。
さらに、会計精算の処理（Ｓ１０）においては、飲食店Ａを利用した顧客から飲食店Ａの評価を入力可能に構成しておくとよい。また、評価の入力とくじ引きを紐付けておけば、評価を入力してくれた顧客の当選確率を可変に調整可能にできる。
【００９４】
なお、評価後の飲食店Ａの対応を、評価を入力してくれた顧客に伝えるようにしておくとよい。このようにしておけば、評価への対応が顧客に伝わり、評価を放置しておくことがなくなる。つまり、飲食店Ａの改善にもなり、顧客満足度の向上にもつながることになる。例えば、飲食店Ａの対応後に、運営管理システム１から顧客に直接連絡するようにしてもよく、その顧客が再来店した際に運営管理システム１から顧客に連絡するようにしてもよい。あるいは、飲食店Ａの評価を公開している場合には、その後の対応も公開することで顧客に知らせるようにしてもよい。
【００９５】
このように、飲食店Ａの運営管理システム１は、管理制御装置５が提供する二次元コード４２を顧客の操作する第２の携帯通信端末３で読み込み、第２の携帯通信端末３が二次元コード４２から読み取ったアクセス情報に基づいて顧客注文サイト４１にアクセスし、注文情報を入力して送信してきた場合、管理制御装置５は受信した注文情報を飲食店制御装置４に送信する。
【００９６】
これにより、この運営管理システム１は、飲食店Ａにおいて顧客の所有する第２の携帯通信端末３により顧客が料理や飲み物などを簡単に注文することができ、顧客が注文発注を待たされることがなく、注文を迅速に処理することができる。
【００９７】
また、この運営管理システム１は、飲食店制御装置４によって、店員の操作する第１の携帯通信端末２から送信された注文情報に併せて、顧客の操作する第２の携帯通信端末３から送信された注文情報を集計して管理する。第１の携帯通信端末２、第２の携帯通信端末３、飲食店制御装置４の情報は、管理制御装置５が提供する情報処理サイト（図５〜図９参照）により管理制御装置５との間で送受信され、飲食店Ａの管理・運営に関する情報を管理制御装置５により処理される。
これにより、この運営管理システム１は、飲食店Ａの注文情報の集計管理や飲食店Ａの運営・店舗管理を容易に行うことができ、店舗運営の効率化を図ることができる。
【００９８】
さらに、運営管理システム１は、管理制御装置５によって、顧客注文サイト４１にアクセスした第２の携帯通信端末３から注文情報を受信した場合には広告画面を送信して表示させ、表示された広告画面がタッチ操作された場合にはくじ引き抽選を実施し、くじ引きに当選した場合には会計時の支払いに使用可能なポイント情報を第２の携帯通信端末３に送信するので、顧客が第２の携帯通信端末３から注文情報を送信する度にくじ引き抽選に参加でき、顧客が自分で注文を行う顧客注文サイト４１の利用率を高めることができ、注文を担当する店員の負担を軽減することができる。
【００９９】
さらにまた、運営管理システム１は、管理制御装置５によって、顧客注文サイト４１の言語表示を日本語以外の外国語に設定できるので、日本語の不自由な外国人顧客の注文発注を容易にして集客力を高めることができる。外国語設定可能にしておけば、例えば旅行や仕事で日本国内にやって来た外国人（インバウンド）に対応することができる。
【０１００】
また、運営管理システム１は、顧客注文サイト４１にアクセスした第２の携帯通信端末３に情報を提供することができるので、以下のようなサービスを提供することができる。
・広告画面をタッチすることで、広告表示のホームページに導くことができる。
・入店した顧客どうしでの意見交換可能なコミュニティーツールとすることができる。
・他のテーブルについた顧客との交流を勧めることができる。
・人気料理を表示して顧客に薦めることができる。
・顧客による店舗、料理の評価を取得することができる。
・顧客が他の顧客に店舗のおすすめメニューを紹介することができる。
・店舗の料理、ソース、ドレッシング等の企業秘密レシピをオークションすることが可能
である。
・過去に来店した会員の顧客は割引券つきの広告等のメールを受けることができる。
・来店した顧客に求人広告や通常広告を提示することができる。
・顧客が店舗に意見、リクエスト等を送ることができる。
・外国語のメニュー表示と注文ができる（外国人顧客（インバウンド）に対応することができる）。
・広告表示により宣伝することができる。
・特別広告表示を実行することができるので、顧客及び広告提供者である飲食店双方にメリットがある。
・飲食店を探している人に情報を送ることができる。
・顧客の属性に基づく店舗のおすすめメニューを紹介することができる。
【０１０１】
なお、この発明は、上述実施例に限定されることなく、種々応用改変が可能である。
例えば、飲食店制御装置４で集計した注文情報から売れ行き傾向を把握し、在庫管理と発注計画の情報判断を行う売れ行き傾向判断部を管理制御装置５に設けることで、確実に売れ行き傾向を判断し、在庫管理のみだけでなく、発注計画をも確実に判断でき、システムの信頼性を向上することができる。
【０１０２】
また、顧客が第２の携帯通信端末３で送信した注文情報から、顧客の好み傾向を判断する顧客好み傾向判断部を管理制御装置５に設けることで、顧客の好みに合致するように飲食店Ａのメニュー配列を変更し、顧客注文サイト４１にアクセスした第２の携帯通信端末３に提示することで、注文の増加による売り上げの増大を図ることができる。なお、顧客の所有する第２の携帯通信端末３に顧客を特定する管理番号を付与することで、入店した顧客の管理番号から顧客が顧客注文サイト４１で送信した注文情報を特定して収集蓄積することができ、集積した情報から顧客の好みを把握し、来店時に顧客の好みに合致するメニューを提示することができ、売り上げの増大に貢献することができる。
【０１０３】
さらに、顧客の第２の携帯通信端末３から予約を受付た場合は、顧客の携帯通信端末３からＧＰＳ情報を取得して顧客位置を把握することで、顧客位置から店員の配置や料理の準備を行うことができ、店舗の顧客に対する準備体制を容易に整えることができる。
【０１０４】
またさらに、飲食店Ａの運営管理システム１のプログラムをソフトウェア（アプリケーション（アプリ）を含む）とすることで、プログラム単体で販売することが可能になる。プログラムを（アプリケーション（アプリ））とすることで、顧客の第２の携帯通信端末３からの操作の簡便性に加え、セキュリティ対策にもなり、飲食店Ａの運営管理システム１の利便性及び安全性の向上に繋がる。
【０１０５】
加えて、種々の支払い方法を顧客に選択可能にしておけるので、顧客の利便性が向上する。領収書の発行の指示も顧客の第２の携帯通信端末３から入力できるので、店員の煩雑の解消にもつながる。また、会計ソフトなどと連動可能にしておけるので、顧客の確定申告時などの利便性が大幅に向上することになる。さらに、顧客の第２の携帯通信端末３から注文が可能なので、店員の手間を省け、人件費の抑制にも繋がる。また、顧客と店員の注文のすれ違いを防ぐことができるので、顧客及び店員双方のストレスが大幅に軽減される。
【産業上の利用可能性】
【０１０６】
この発明は、飲食店において顧客が所有する携帯通信端末により自分で料理や飲み物などを簡単に注文することができ、注文情報の集計管理や飲食店の運営・店舗管理を容易にすることができるものであり、携帯通信端末により商品の注文情報を受けて処理をする店舗の運営管理システムに適用することが可能である。
【符号の説明】
【０１０７】
Ａ  飲食店
Ｂ  管理会社
１  運営管理システム
２  第１の携帯通信端末
３  第２の携帯通信端末
４  飲食店制御装置
５  管理制御装置
６  無線ＬＡＮ装置
７  有線ＬＡＮ装置
８  通信回線
９  携帯電話通信装置
１０  入力部
１１  表示部
１２  記憶部
１３  通信部
１４  カメラ部
１５  制御部
１６  情報読み取り部
１７  記憶部
１８  通信部
１９  制御部
２３  注文情報記憶部
２４  店舗管理情報記憶部
２５  注文情報記録更新部
２６  店舗管理情報記録更新部
２７  記憶部
２８  通信部
２９  制御部
３３  運営管理情報記憶部
３４  サイト管理情報記憶部
３５  運営管理情報記録更新部
３６  サイト管理情報記録更新部
３７  運営管理サイト
３８  店舗管理サイト
３９  レジスターサイト
４０  店員注文サイト
４１  顧客注文サイト
４２  二次元コード
【図１】
2020087231.tif 000003
【図２】
2020087231.tif 000004
【図３】
2020087231.tif 000005
【図４】
2020087231.tif 000006
【図５】
2020087231.tif 000007
【図６】
2020087231.tif 000008
【図７】
2020087231.tif 000009
【図８】
2020087231.tif 000010
【図９】
2020087231.tif 000011
【図１０】
2020087231.tif 000012
【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
飲食店の管理・運営に関する情報を処理する情報処理サイトと、
前記情報処理サイトに顧客が注文情報を入力して送信するための顧客注文サイトと、を有し、
前記顧客注文サイトにアクセスするためのアクセス情報を記録した二次元コードを読み込んだ顧客の所有する顧客自身の携帯通信端末を用いて前記顧客注文サイトの操作が可能に構成され、
注文情報を管理する飲食店制御装置と、
前記飲食店制御装置との間で情報を送受信する管理制御装置と、を有し、
前記二次元コードは、
前記飲食店制御装置から提供されるようになっている
飲食店の運営管理システム。
【請求項２】
前記飲食店制御装置は、
前記顧客注文サイトにアクセスした前記携帯通信端末から注文情報を受信した場合には該携帯通信端末に広告画面を表示させ、
表示された広告画面がタッチ操作された場合にはくじ引き抽選を実施するように構成されている
請求項１に記載の飲食店の運営管理システム。
【請求項３】
前記飲食店制御装置は、
くじ引きに当選した場合には会計時の支払いに使用可能なポイント情報を前記携帯通信端末に送信し、ポイントを使用するか蓄積するか選択させるように構成されている
請求項２に記載の飲食店の運営管理システム。
【請求項４】
前記飲食店制御装置は、
前記顧客注文サイトの言語表示を日本語以外の外国語を選択可能に構成されている
請求項２又は３に記載の飲食店の運営管理システム。
【請求項５】
飲食店の管理・運営に関する情報を処理する情報処理サイトと、
前記情報処理サイトに顧客が注文情報を入力して送信するための顧客注文サイトと、を有し、
前記顧客注文サイトにアクセスするためのアクセス情報を記録した二次元コードを読み込んだ顧客の所有する顧客自身の携帯通信端末を用いて前記顧客注文サイトの操作が可能に構成され、
前記飲食店制御装置及び前記管理制御装置の少なくとも一方は、
会計時、軽減税率に対応した表示と、軽減税率に対応していない表示と、を異なるように設定し、前記携帯通信端末及び飲食店の店員が操作する携帯通信端末の少なくとも１つに表示する
飲食店の運営管理システム。
【請求項６】
飲食店において顧客自身の携帯通信端末を用いて顧客注文サイトの操作が可能な飲食店の運営管理システムのプログラムであって、
前記顧客注文サイトにアクセスするためのアクセス情報を記録した二次元コードを発行する処理と、
前記二次元コードを読み込んだ顧客の所有する顧客自身の携帯通信端末によって前記顧客注文サイトの操作を可能とする処理と、
前記顧客注文サイトの操作を集計及び管理する処理と、
軽減税率に対応した表示と、軽減税率に対応していない表示と、を異なるように設定する処理と、
会計時、軽減税率に対応した表示と、軽減税率に対応していない表示とを、前記携帯通信端末及び飲食店の店員が操作する携帯通信端末の少なくとも１つに表示する処理と、を実行する
飲食店の運営管理システムのプログラム。
【手続補正２】
【補正対象書類名】明細書
【補正対象項目名】０００６
【補正方法】変更
【補正の内容】
【０００６】
この発明は、飲食店の管理・運営に関する情報を処理する情報処理サイトと、前記情報処理サイトに顧客が注文情報を入力して送信するための顧客注文サイトと、を有し、前記顧客注文サイトにアクセスするためのアクセス情報を記録した二次元コードを読み込んだ顧客の所有する顧客自身の携帯通信端末を用いて前記顧客注文サイトの操作が可能に構成され、注文情報を管理する飲食店制御装置と、前記飲食店制御装置との間で情報を送受信する管理制御装置と、を有し、前記二次元コードは、前記飲食店制御装置から提供されるようになっている、ものである。
【手続補正書】
【提出日】令和1年7月20日(2019.7.20)
【手続補正１】
【補正対象書類名】特許請求の範囲
【補正対象項目名】全文
【補正方法】変更
【補正の内容】
【特許請求の範囲】
【請求項１】
飲食店の管理・運営に関する情報を処理する情報処理サイトと、
前記情報処理サイトに顧客が注文情報を入力して送信するための顧客注文サイトと、を有し、
前記顧客注文サイトにアクセスするためのアクセス情報を記録した二次元コードを読み込んだ顧客の所有する顧客自身の携帯通信端末を用いて前記顧客注文サイトの操作が可能に構成され、
注文情報を管理する飲食店制御装置と、
前記飲食店制御装置との間で情報を送受信する管理制御装置と、を有し、
前記二次元コードは、
前記飲食店制御装置から提供されるようになっており、
前記飲食店制御装置及び前記管理制御装置の少なくとも一方は、
会計時、軽減税率に対応した表示と、軽減税率に対応していない表示と、を異なるように設定し、前記携帯通信端末及び飲食店の店員が操作する携帯通信端末の少なくとも１つに表示する
飲食店の運営管理システム。
【請求項２】
前記飲食店制御装置は、
前記顧客注文サイトにアクセスした前記携帯通信端末から注文情報を受信した場合には該携帯通信端末に広告画面を表示させ、
表示された広告画面がタッチ操作された場合にはくじ引き抽選を実施するように構成されている
請求項１に記載の飲食店の運営管理システム。
【請求項３】
前記飲食店制御装置は、
くじ引きに当選した場合には会計時の支払いに使用可能なポイント情報を前記携帯通信端末に送信し、ポイントを使用するか蓄積するか選択させるように構成されている
請求項２に記載の飲食店の運営管理システム。
【請求項４】
前記飲食店制御装置及び前記管理制御装置の少なくとも一方は、
顧客情報の入力がされた際、会計時に使用できるポイントを所定の割合で付与する
請求項１に記載の飲食店の運営管理システム。
【請求項５】
前記飲食店制御装置及び前記管理制御装置の少なくとも一方は、
顧客情報の入力がされた際、この顧客の要求に対応した広告表示を提供する
請求項１に記載の飲食店の運営管理システム。
【請求項６】
前記飲食店制御装置は、
前記顧客注文サイトの言語表示を日本語以外の外国語を選択可能に構成されている
請求項１〜５のいずれか一項に記載の飲食店の運営管理システム。
【請求項７】
前記飲食店の会計を、前記二次元コードを読み込んだ前記携帯通信端末を有している顧客が利用している各種決済サービスと連動している
請求項１〜６のいずれか一項に記載の飲食店の運営管理システム。
【請求項８】
飲食店において顧客自身の携帯通信端末を用いて顧客注文サイトの操作が可能な請求項１〜７のいずれか一項に記載の飲食店の運営管理システムに用いられる飲食店の運営管理システムのプログラムであって、
前記顧客注文サイトにアクセスするためのアクセス情報を記録した二次元コードを発行する処理と、
前記二次元コードを読み込んだ顧客の所有する顧客自身の携帯通信端末によって前記顧客注文サイトの操作を可能とする処理と、
前記顧客注文サイトの操作を集計及び管理する処理と、
軽減税率に対応した表示と、軽減税率に対応していない表示と、を異なるように設定する処理と、
会計時、軽減税率に対応した表示と、軽減税率に対応していない表示とを、前記携帯通信端末及び飲食店の店員が操作する携帯通信端末の少なくとも１つに表示する処理と、を実行する
飲食店の運営管理システムのプログラム。
【手続補正２】
【補正対象書類名】明細書
【補正対象項目名】０００６
【補正方法】変更
【補正の内容】
【０００６】
この発明は、飲食店の管理・運営に関する情報を処理する情報処理サイトと、前記情報処理サイトに顧客が注文情報を入力して送信するための顧客注文サイトと、を有し、前記顧客注文サイトにアクセスするためのアクセス情報を記録した二次元コードを読み込んだ顧客の所有する顧客自身の携帯通信端末を用いて前記顧客注文サイトの操作が可能に構成され、注文情報を管理する飲食店制御装置と、前記飲食店制御装置との間で情報を送受信する管理制御装置と、を有し、前記二次元コードは、前記飲食店制御装置から提供されるようになっており、前記飲食店制御装置及び前記管理制御装置の少なくとも一方は、会計時、軽減税率に対応した表示と、軽減税率に対応していない表示と、を異なるように設定し、前記携帯通信端末及び飲食店の店員が操作する携帯通信端末の少なくとも１つに表示する、ものである。
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
飲食店の管理・運営に関する情報を処理する情報処理サイトと、
前記情報処理サイトに顧客が注文情報を入力して送信するための顧客注文サイトと、を有し、
前記顧客注文サイトにアクセスするためのアクセス情報を記録した二次元コードを読み込んだ顧客の所有する顧客自身の携帯通信端末を用いて前記顧客注文サイトの操作が可能に構成され、
注文情報を管理する飲食店制御装置と、
前記飲食店制御装置との間で情報を送受信する管理制御装置と、を有し、
前記二次元コードは、
前記飲食店制御装置から提供されるようになっており、
前記飲食店制御装置及び前記管理制御装置の少なくとも一方は、
会計時、軽減税率に対応した表示と、軽減税率に対応していない表示と、を異なるように設定し、前記携帯通信端末及び飲食店の店員が操作する携帯通信端末の少なくとも１つに表示するものであり、
顧客自身の情報の入力がされた際、この顧客の要求に対応した広告表示を提供するものであり、
前記顧客自身の情報には、顧客自身の属性、飲食店の種別、飲食店の規模、飲食店の場所、飲食店の使用目的が含まれており、
前記広告表示とは、あらかじめ登録してある広告提供者の広告を表示するものであり、
前記顧客自身の情報を入力してくれた顧客に対しては、会計時に金銭的な還元ができるポイントを所定の割合で付与するものであり、
前記広告提供者に対しては、前記顧客自身の情報を提供する
飲食店の運営管理システム。
【請求項２】
前記飲食店制御装置は、
前記顧客注文サイトにアクセスした前記携帯通信端末から注文情報を受信した場合には該携帯通信端末に広告画面を表示させ、
表示された広告画面がタッチ操作された場合にはくじ引き抽選を実施するように構成されている
請求項１に記載の飲食店の運営管理システム。
【請求項３】
前記飲食店制御装置は、
くじ引きに当選した場合には会計時の支払いに使用可能なポイント情報を前記携帯通信端末に送信し、ポイントを使用するか蓄積するか選択させるように構成されている
請求項２に記載の飲食店の運営管理システム。
【請求項４】
前記飲食店制御装置は、
前記顧客注文サイトの言語表示を日本語以外の外国語を選択可能に構成されている
請求項１〜３のいずれか一項に記載の飲食店の運営管理システム。
【請求項５】
前記飲食店の会計を、前記二次元コードを読み込んだ前記携帯通信端末を有している顧客が利用している各種決済サービスと連動している
請求項１〜４のいずれか一項に記載の飲食店の運営管理システム。
【手続補正２】
【補正対象書類名】明細書
【補正対象項目名】０００６
【補正方法】変更
【補正の内容】
【０００６】
この発明は、飲食店の管理・運営に関する情報を処理する情報処理サイトと、前記情報処理サイトに顧客が注文情報を入力して送信するための顧客注文サイトと、を有し、前記顧客注文サイトにアクセスするためのアクセス情報を記録した二次元コードを読み込んだ顧客の所有する顧客自身の携帯通信端末を用いて前記顧客注文サイトの操作が可能に構成され、注文情報を管理する飲食店制御装置と、前記飲食店制御装置との間で情報を送受信する管理制御装置と、を有し、前記二次元コードは、前記飲食店制御装置から提供されるようになっており、前記飲食店制御装置及び前記管理制御装置の少なくとも一方は、会計時、軽減税率に対応した表示と、軽減税率に対応していない表示と、を異なるように設定し、前記携帯通信端末及び飲食店の店員が操作する携帯通信端末の少なくとも１つに表示するであり、顧客自身の情報の入力がされた際、この顧客の要求に対応した広告表示を提供するものであり、前記顧客自身の情報とは、顧客自身の属性、飲食店の種別、飲食店の規模、飲食店の場所、飲食店の使用目的を含み、前記広告表示とは、あらかじめ登録してある広告提供者の広告を表示するものであり、前記顧客自身の情報を入力してくれた顧客に対しては、会計時に金銭的な還元ができるポイントを所定の割合で付与するものであり、前記広告提供者に対しては、前記顧客自身の情報を提供する、ものである